(57)【特許請求の範囲】
【請求項１】
コンテンツ情報を記録する記録部と、自ディスクに関連する第１の識別情報を記憶する第１の非接触型ＩＣと、を備える光ディスクを装置内部に保持した状態で、前記第１の非接触型ＩＣとの間で通信を行うために設けられた内部アンテナと、
装置外部に配置され、前記第１の識別情報に関連付けられた第２の識別情報を記憶する第２の非接触型ＩＣを備える非接触ＩＣカードとの間の通信を行うために設けられた外部アンテナと、
通信部と前記外部アンテナとの間の導通状態と、前記通信部と前記内部アンテナとの間の導通状態と、を切り替える切替部と、
前記切替部によって前記内部アンテナと前記通信部との間を導通させて前記第１の非接触型ＩＣを検索し、検索された前記第１の非接触型ＩＣから前記第１の識別情報を取得するとともに、前記切替部によって前記外部アンテナと前記通信部との間を導通させて前記第２の非接触型ＩＣを検索し、検索された前記第２の非接触型ＩＣから前記第２の識別情報を取得し、前記第１の識別情報及び前記第２の識別情報を用いて前記光ディスク及び前記非接触ＩＣカードが真正なものであるかどうかを確認する制御部と、
を有する光ディスク記録再生装置。
【請求項２】
前記光ディスクの前記記録部には、該光ディスクの識別情報及び該光ディスクに対応する前記第１の非接触型ＩＣの識別情報が記録され、前記第１の識別情報には、該第１の識別情報を記憶する該第１の非接触型ＩＣの識別情報及び該第１の非接触型ＩＣに対応する前記光ディスクの識別情報を有しており、
前記制御部が、前記第１の識別情報の該第１の非接触型ＩＣの識別情報と前記記録部に記録される該光ディスクに対応する前記第１の非接触型ＩＣの識別情報、または前記記録部に記録される該光ディスクの識別情報と前記第１の識別情報の該第１の非接触型ＩＣに対応する前記光ディスクの識別情報と、を照合し、一致したとき、前記光ディスクが真正なものであると判定する、請求項１記載の光ディスク記録再生装置。
【請求項３】
前記光ディスクの前記記録部及び前記第１の非接触型ＩＣの前記第１の識別情報には、該光ディスクに対応する前記第２の非接触型ＩＣの識別情報が設定されており、
前記制御部が、前記第２の非接触型ＩＣから取得した前記第２の識別情報に含まれる該第２の非接触型ＩＣの識別情報と、前記光ディスクの前記記憶部及び前記非接触型ＩＣの第１の識別情報に設定されている前記第２の非接触型ＩＣの識別情報と、を照合し、一致したとき、前記非接触ＩＣカードが真正なものであると判定する、請求項１記載の光ディスク記録再生装置。
【請求項４】
前記光ディスクの前記記録部に記録される前記コンテンツ情報は暗号化され、暗号化された前記コンテンツ情報を復号する復号鍵は、前記非接触ＩＣカードの前記第２の非接触型ＩＣに記憶されており、
前記制御部が、前記コンテンツ情報の再生時には、前記第２の非接触型ＩＣに記憶される前記復号鍵を取得し、該復号鍵を用いて暗号化された前記コンテンツ情報を復号する、請求項１記載の光ディスク記録再生装置。
【請求項５】
前記第１の非接触型ＩＣ及び前記第２の非接触型ＩＣの検索は、前記光ディスクの前記記録部に記録されるコンテンツ情報の再生中または前記光ディスクの前記記録部へのコンテンツ情報の記録中に行われる請求項１記載の光ディスク記録再生装置。
【請求項６】
前記制御部が、前記外部アンテナと前記内部アンテナの両方に前記通信部を導通させて通信を行って前記第１の非接触型ＩＣ及び前記第２の非接触型ＩＣを検索し、応答が得られたときは、順次前記内部アンテナまたは前記外部アンテナの一方に前記通信部を導通させ、前記第１の非接触型ＩＣ及び前記第２の非接触型ＩＣそれぞれの検索を行う請求項１記載の光ディスク記録再生装置。
【請求項７】
前記切替部が、前記外部アンテナ及び前記内部アンテナを両方とも前記通信部に導通させたときのインピーダンスを前記外部アンテナまたは前記内部アンテナのうちの一方を前記通信部に導通させたときのインピーダンスと等しくするインピーダンス等価回路を有する請求項６記載の光ディスク記録再生装置。
【請求項８】
前記外部アンテナと前記内部アンテナとが前記通信を行うために発生する電波が互いに干渉しないように前記電波を遮断するシールド部材を有する請求項１記載の光ディスク記録再生装置。
【請求項９】
前記外部アンテナは、前記シールド部材を介して前記内部アンテナに対向して設けられている請求項８記載の光ディスク記録再生装置。
【請求項１０】
前記外部アンテナと前記シールド部材との間および前記内部アンテナと前記シールド部材との間にそれぞれ高透磁性部材が設けられている請求項８記載の光ディスク記録再生装置。
【発明の詳細な説明】
【技術分野】
【０００１】
本発明は光ディスク記録再生装置に関し、特に非接触型ＩＣ（Integrated Circuit）との通信機能を備える光ディスク記録再生装置に関する。
【背景技術】
【０００２】
大容量のデータを記録できる特徴を持つ記録媒体として、再生専用型記録媒体（ROM: Read Only Memory）や追記型記録媒体（Recordable）や書き換え型記録媒体（ReWritable）等の光ディスクの普及が進んでいる。
【０００３】
一方、非接触通信により認証（認識）を行うＲＦＩＤ（Radio Frequency Identification）が知られている。ＲＦＩＤに使用される非接触型ＩＣカードは、非接触型ＩＣチップとデータ読み取りおよび書き込み用端末装置との間で物理的な接触がないことを含めて通信の接続開始から接続終了までの処理時間が短く、また高度な暗号処理と相互認証による高いセキュリティ性を持つ等の特徴を有しており、電子マネー機能等の用途で普及が進んでいる。
【０００４】
そして、これら光ディスクの特徴と非接触型ＩＣチップの特徴とを兼ね備えたものとして、非接触型ＩＣチップと光ディスクとが同一の基板に搭載された記録媒体が知られている。
【０００５】
例えば、円盤状の光ディスクの中央部、すなわち、回転中心軸を挿入するための孔の外周縁部に非接触型ＩＣチップが搭載された光ディスクが開示されている（例えば、特許文献１参照）。
【０００６】
また、２枚の基板を貼り合せて形成される光ディスクにおいて、２枚の基板の凹部によって形成される間隙に、回路部およびコイル部を配置する光ディスクが開示されている。（例えば、特許文献２参照）。
【０００７】
また、光ディスクの反射膜と非接触型ＩＣチップのアンテナコイルが同じ材料であって、蒸着やスパッタリング等の手段によって形成される光ディスクが開示されている（例えば、特許文献３参照）。
【０００８】
また、光ディスクのリードイン部の内周側に非接触型ＩＣチップおよびアンテナコイルを配置した場合、その内周部にある反射膜の影響で通信距離が短くなる現象、または、通信できなくなる現象を避けるために、その内周部にある反射膜に切欠きを設け、アンテナコイルでの電磁誘導へ影響を少なくした光ディスクが開示されている（例えば、特許文献４参照）。
【０００９】
そしてさらに、このような非接触型ＩＣチップと光ディスクとが同一の基板に搭載された記録媒体に対して、光ディスクの記録再生機能と非接触型ＩＣチップとの通信機能を併せ持った光ディスク記録再生装置が知られており、例えば、内部のアンテナと外部のアンテナを備え、それらが並列に無線周波数回路に接続されることで両方のアンテナに接近した非接触型ＩＣチップと通信可能な光ディスク記録再生装置が開示されている（例えば、特許文献５参照）。
【特許文献１】特開平８−１６１７９０号公報
【特許文献２】特開平９−２４５３８１号公報
【特許文献３】特開平１１−３５３７１４号公報
【特許文献４】特開２００１−３１９３８０号公報
【特許文献５】特開２００１−２９７５６８号公報
【発明の開示】
【発明が解決しようとする課題】
【００１０】
ところで、非接触型ＩＣを搭載した光ディスクとの通信機能を備えた光ディスク記録再生装置では、光ディスクの再生中や記録中または再生の合間や記録の合間に、光ディスクに搭載されている非接触型ＩＣチップと通信できることが望ましい。これは、著作権保護情報等に用いられる光ディスクごとの個別情報や、非接触型ＩＣごとの個別情報等を再生中や記録中または再生の合間や記録の合間に、照合することができるからである。
【００１１】
このとき光ディスク記録再生装置が例えば特許文献５のように内部アンテナと外部アンテナとを備えている場合、現在通信相手となっている非接触型ＩＣが、光ディスク記録再生装置内部にある光ディスクに搭載されている非接触型ＩＣなのか、光ディスク記録再生装置外部にある非接触型ＩＣなのかを判別することは、著作権保護情報を取り扱う上で、偽造防止等の観点から必要とされる事項である。
【００１２】
しかしながら、特許文献５ではどちらのアンテナに接近してきた非接触型ＩＣと通信しているのかわからないという問題があった。
本発明はこのような点に鑑みてなされたものであり、内部と外部どちらのアンテナに接近してきた非接触ＩＣと通信しているのかを判別することができる光ディスク記録再生装置を提供することを目的とする。
【課題を解決するための手段】
【００１３】
本発明では上記課題を解決するために、コンテンツ情報を記録する記録部と、自ディスクに関連する第１の識別情報を記憶する第１の非接触型ＩＣと、を備える光ディスクを装置内部に保持した状態で、第１の非接触型ＩＣとの間で通信を行うために設けられた内部アンテナと、装置外部に配置され、第１の識別情報に関連付けられた第２の識別情報を記憶する第２の非接触型ＩＣを備える非接触ＩＣカードとの間の通信を行うために設けられた外部アンテナと、通信部と外部アンテナとの間の導通状態と、通信部と内部アンテナとの間の導通状態と、を切り替える切替部と、切替部によって内部アンテナと通信部との間を導通させて第１の非接触型ＩＣを検索し、検索された第１の非接触型ＩＣから第１の識別情報を取得するとともに、切替部によって外部アンテナと通信部との間を導通させて第２の非接触型ＩＣを検索し、検索された第２の非接触型ＩＣから第２の識別情報を取得し、第１の識別情報及び第２の識別情報を用いて光ディスク及び非接触ＩＣカードが真正なものであるかどうかを確認する制御部と、を有する光ディスク記録再生装置が提供される。
【発明の効果】
【００１５】
本発明によれば、１つの制御手段を用いて内部アンテナと外部アンテナのどちらのアンテナに接近してきた非接触ＩＣと通信しているのかを判別（識別）することができる。よって、装置構造の簡素化および装置の低コスト化を図ることができる。
【００１６】
また、制御手段が筐体外部の非接触ＩＣとの通信と、光ディスクが備える非接触ＩＣとの通信とを関連づけて行う場合には、筐体外部の非接触ＩＣが備える個別情報の内容と光ディスクが備える非接触ＩＣの個別情報の内容とを容易に照合することができ、著作権保護の安全性を高めることができる。
【発明を実施するための最良の形態】
【００１７】
以下、本発明の実施の形態を図面を参照して詳細に説明する。
図１は、光ディスク記録再生装置を示す断面図である。なお以下では、図１中上側を「上」、下側を「下」、左側を「左」、右側を「右」という。
【００１８】
光ディスク記録再生装置１は、光ディスク記録再生装置１内に挿入される光ディスク１００の光学記録面に音声や静止画や動画等のコンテンツを記録する、または光ディスク１００の光学記録面に記録されている音声や静止画や動画等のコンテンツを再生する装置である。また、光ディスク記録再生装置１は、光ディスク１００に設けられたＩＣチップ（ＲＦＩＤチップ）および非接触ＩＣカード２００に設けられたＩＣチップ（ＲＦＩＤチップ）の間で電磁誘導方式（Inductive Coupling）により通信を行う。
【００１９】
なお、以下では、光ディスク記録再生装置１が非接触ＩＣカード２００と通信するための電磁波の周波数を１３．５６ＭＨｚとし、通信方式をＩＳＯ／ＩＥＣ  １４４４３（ＪＩＳ  Ｘ６３２２）とした場合について説明する。
【００２０】
光ディスク記録再生装置１は、筐体２と、筐体２の内部に配置されたケーシング３と、ケーシング３を挟むようにしてケーシング３の内部および外部にそれぞれ設けられた高透磁率部材（高透磁性部材）４、５と、高透磁率部材５上に配置された外部アンテナ６と、ケーシング３の内部に設置された光ディスクドライブ装置７と、光ディスクドライブ装置７を駆動させるドライブ回路８と、高透磁率部材４の下側に高透磁率部材４に隣接して設けられた内部アンテナ９と、外部アンテナ６に所定の磁界を発生させて非接触で非接触ＩＣカード２００に設けられたＩＣチップとの間で通信を行い、内部アンテナ９に所定の磁界を発生させて非接触で光ディスク１００に設けられたＩＣチップとの間で通信を行うリーダ／ライタ制御部１０と、を有している。
【００２１】
なお、図１では、光ディスク１００が光ディスク記録再生装置１内部に挿入されている状態を示している。
筐体２は、筐体２の外部から内部へと入力される磁気および筐体２の内部から外部へと出力される磁気に影響を与えない材料で構成されている。筐体２の構成材料としては特に限定されないが、例えば高分子材料等が挙げられる。また、筐体２の外部アンテナ６の近傍の外壁部分には非接触ＩＣカード２００を接近させる位置を表示するカード表示部２１が設けられている。なお、カード表示部２１は省略されていてもよい。
【００２２】
ケーシング３は、非透磁性を有している。すなわち、ケーシング３の外部から内部へと入力される磁気およびケーシング３の内部から外部へと出力される磁気を遮断する。ケーシング３の構成材料としては特に限定されないが、例えば金属等が挙げられる。
【００２３】
高透磁率部材４、５は、シート状をなし比透磁率が高く磁気抵抗の低い材料で構成されており、外部アンテナ６および内部アンテナ９からそれぞれ発生する磁力線はこの高透磁率部材４、５にそって流れ、シールド効果が発生する。すなわち外部アンテナ６および内部アンテナ９から放射される電波がケーシング３によって放射を妨げられる現象に対して、外部アンテナ６および内部アンテナ９とケーシング３との間にそれぞれ高透磁率部材４、５を設置することで放射を妨げられないようにする効果を有する。高透磁率部材４、５の構成材料としては特に限定されないが、例えばパーマロイ等が挙げられる。
【００２４】
外部アンテナ６は、ループ形状をなすコイルを同心円状または螺旋状に１ターンまたはそれ以上のターン数巻いたものである。
光ディスク記録再生装置１は、筐体２の上部の所定範囲内（例えば、１０ｃｍ以内）に、非接触型ＩＣカード２００が存在すると、リーダ／ライタ制御部１０が非接触型ＩＣカード２００との間で通信を行う。
【００２５】
図２は、非接触ＩＣカードを示す斜視図である。
非接触ＩＣカード２００は、記憶デバイスを内蔵したＩＣチップ（ＲＦＩＤチップ）２０１と、ＩＣチップ２０１に電気的に接続されたアンテナコイル２０２とを有している。
ＩＣチップ２０１には、例えば、コンテンツの取引内容に関する情報等が格納されており、リーダ／ライタ制御部１０は、外部アンテナ６を介してＩＣチップ２０１の情報を追加、削除および上書きすることができる。また、ＩＣチップ２０１には、例えばＩＣチップ２０１の固有情報や、コピープロテクトの情報等、様々な情報も記憶することができる。なお、ＩＣチップ２０１としては特に限定されないが、例えばＦｅｌｉｃａ（フェリカ、（登録商標））チップやＭｉｆａｒｅ（マイフェア、（登録商標））チップ等が挙げられる。また、記憶デバイスとしては特に限定されないが、例えばＥＥＰＲＯＭ（Electronically Erasable and Programmable Read Only Memory）やＳＲＡＭ（Static Random Access Memory）、ＦｅＲＡＭ（Ferroelectric Random Access Memory）等が挙げられる。
【００２６】
図３は、光ディスクドライブ装置およびアンテナコイルの位置関係を示す平面図である。
光ディスクドライブ装置７は、ディスクトレイ７１上に載置される光ディスク１００を回転させるためのスピンドル部７２と、フォーカスやトラッキング等により光ディスク１００に記録された情報の光学的な読み取り、または光ディスク１００に情報を書き込むための光ピックアップモジュール７３を備える光学系アクチュエータ７４と、光ピックアップモジュール７３を光ディスクの半径方向に移動させるスレッド７５とを有している。
【００２７】
光ディスク１００の筐体２からの出し入れは、ディスクトレイ７１を図３中上下方向（図１中左右方向）に移動させることにより行う。
内部アンテナ９は、ディスクトレイ７１に対向する位置に設置されており、ループ形状をなすコイルを同心円状または螺旋状に１ターンまたはそれ以上のターン数巻いたものである。内部アンテナ９のループの中心は、光ディスク１００が筐体２内部に挿入された状態で、光ディスク１００の回転軸、すなわちスピンドル部７２の中心と略一致している。
【００２８】
図４は、光ディスク挿入時の光ディスク記録再生装置の要部の構成を示す図である。
光ディスク記録再生装置１では、光ディスク１００の中心と、スピンドル部７２の中心と、内部アンテナ９の中心とがほぼ一致している。
【００２９】
光ディスク１００はＩＣチップ１０１と、ＩＣチップ１０１から導出されたループ状のアンテナコイル１０２とを有している。アンテナコイル１０２は、内部アンテナ９に略同心円状になるように配置されている。
【００３０】
ＩＣチップ１０１とアンテナコイル１０２とは、光ディスク１００の内側に配設されており、同心円状または螺旋状に１ターンあるいはそれ以上のターン数で形成されている。なお、ＩＣチップ１０１には、例えば、光ディスクの固有情報や、記録されたコンテンツの情報やコピープロテクト等の情報、さらにはゲームの結果等、様々な情報が記憶可能である。
【００３１】
なお、光ディスク１００としては特に限定されないが、例えばＤＶＤディスク（商標）やコンパクトディスク（Compact Disc、（登録商標））やＢｌｕ−ｒａｙディスク（登録商標）等が挙げられる。
【００３２】
図５は、光ディスク記録再生装置を示す側部断面図および光ディスク記録再生装置の処理ブロックを示す図である。
光ディスク１００は、ディスク基板１００ａに金属膜からなる記録層１００ｂが例えばスパッタ処理により形成された構成となっており、この記録層１００ｂが光ピックアップモジュール７３（図５では光学系アクチュエータ７４に包含されている。）に対向するようにディスクトレイ７１上に配置される。
【００３３】
また、スピンドル部７２は、光ディスク１００を固定するチャッキング部７２ａと、光ディスク１００を回転させるスピンドルモータ７２ｂとからなっている。チャッキング部７２ａは、例えば、磁石によって光ディスク１００を固定する。
【００３４】
光学系アクチュエータ７４は、光ピックアップモジュール７３に加えてフォーカス駆動用コイル、スキューサーボ用チルト機構駆動用コイル、トラッキング駆動用コイル、スレッド駆動用コイル等を有している。
【００３５】
光ディスク１００に記録された情報の再生または光ディスク１００への情報の記録の際には、ドライブ回路８が用いられる。
ドライブ回路８は、サーボ回路部８１と、ＲＦ処理部８２と、データ処理部８３と、制御部８４とを有している。
【００３６】
サーボ回路部８１は、スピンドルモータ７２ｂや光学系アクチュエータ７４の動作を制御する。
ＲＦ処理部８２は、光学系アクチュエータ７４の光ピックアップモジュール７３から出力される光ディスク１００から読み出されたＲＦ信号に対し波形整形等の処理を行う。または、光ディスク１００に記録する記録信号を光学系アクチュエータ７４の光ピックアップモジュール７３に供給する。また、検出されたフォーカス情報やトラッキング情報等をサーボ回路部８１にフィードバックする。
【００３７】
データ処理部８３は、再生信号または記録信号の信号処理を行う。
制御部８４は、例えばＣＰＵ（Central Processing Unit）であり、データ処理部８３との間でデータを送受信し、サーボ回路部８１に対して制御信号を送出する。
【００３８】
以下、本実施の形態の光ディスク記録再生装置の動作を説明する。
光ディスク１００からの情報の読み出し時には、制御部８４からの制御信号をもとに、サーボ回路部８１は、スピンドルモータ７２ｂ、光学系アクチュエータ７４を駆動する。サーボ回路部８１の制御により、光学系アクチュエータ７４の光ピックアップモジュール７３は、光ディスク１００の記録層１００ｂに記録された情報をＲＦ信号として検出し、ＲＦ処理部８２に送る。ＲＦ処理部８２は、ＲＦ信号に対し波形整形等の処理を行う。また、検出されたフォーカス情報やトラッキング情報をサーボ回路部８１にフィードバックする。サーボ回路部８１は、これらの情報をもとにスピンドルモータ７２ｂや、光学系アクチュエータ７４を調整し制御部８４の制御信号をもとに情報の読み出しを続ける。ＲＦ処理部８２で処理されたＲＦ信号は、データ処理部８３に入力されて再生信号として処理される。
【００３９】
一方、書き込みの際にも同様に、サーボ回路部８１は、制御部８４からの制御信号をもとにスピンドルモータ７２ｂや光学系アクチュエータ７４を駆動し、光ディスク１００の所定の位置に、データ処理部８３からの記録信号を、ＲＦ処理部８２を介して記録させる。
【００４０】
リーダ／ライタ制御部１０は、所定のタイミングでＩＣチップ２０１との通信を開始するために外部アンテナ６に所定の電流を流し、所定の電界強度の交流磁界を発生させる。これにより、非接触ＩＣカード２００が、外部アンテナ６の近傍に入ると、アンテナコイル２０２が外部アンテナ６と電磁誘導結合される。これにより、ＩＣチップ２０１とリーダ／ライタ制御部１０との間で通信が可能になり、ＩＣチップ２０１の情報の読み出しまたはＩＣチップ２０１への情報の記録が可能になる。
【００４１】
また、リーダ／ライタ制御部１０は、所定のタイミングでＩＣチップ１０１との通信を開始するために内部アンテナ９に所定の電流を流し所定の電界強度の交流磁界を発生させる。これにより、光ディスク１００のアンテナコイル１０２は、光ディスク１００の回転軸に対して、光ピックアップモジュール７３（光学系アクチュエータ７４）の対向側で、内部アンテナ９と電磁誘導結合される。これにより、ＩＣチップ１０１とリーダ／ライタ制御部１０との間で通信が可能になり、ＩＣチップ１０１の情報の読み出しまたは、ＩＣチップ１０１への情報の記録が可能になる。
【００４２】
図６は、リーダ／ライタ制御部の構成を示すブロック図である。
リーダ／ライタ制御部１０は、内部アンテナ９および外部アンテナ６に接続された無線通信回路部１１と、通信制御部１２と、通信制御部１２に接続された通信部（インタフェース）１３とを有している。
【００４３】
無線通信回路部１１は、後述するＣＰＵ１２１からのアンテナ制御信号によって無線通信回路部１１に接続する内部アンテナ９と外部アンテナ６とを交互に切り替えるアンテナ切替回路１１１と、ＣＰＵ１２１から入力される信号を変調してアンテナ切替回路１１１に出力する変調回路１１２と、アンテナ切替回路１１１に入力された信号を復調して通信制御部１２に出力する復調回路１１３とを有している。
【００４４】
通信制御部１２は、ＣＰＵ１２１と記憶部１２２とを有している。
ＣＰＵ１２１は、アンテナ切替回路１１１にアンテナ制御信号を出力するとともに、内部アンテナ９を用いて光ディスク１００が挿入されているか否かを検索する内部サーチ動作および外部アンテナ６を用いて非接触ＩＣカード２００と通信可能か否かを検索する外部サーチ動作を行う。このとき、ＣＰＵ１２１は、変調回路１１２に内部アンテナ９に供給する信号の大きさと外部アンテナ６に供給する信号の大きさとの異なる（信号出力の大きさを制御する）変調信号を出力する。
【００４５】
また、ＣＰＵ１２１は、光ディスク１００または非接触ＩＣカード２００との通信時に復調回路１１３から入力される復調信号を処理し、必要に応じてその情報を記憶部１２２に記憶（格納）する。
【００４６】
また、ＣＰＵ１２１は、通信部１３を介して光ディスク記録再生装置１外部の電子機器であるＰＣ（パーソナルコンピュータ）６０に出力する。
図７は、アンテナ切替回路を示す回路図である。
【００４７】
アンテナ切替回路１１１は、変調回路１１２からの制御信号を外部アンテナ６または内部アンテナ９に出力するアンテナ切替部１１１ａと、アンテナ切替部１１１ａに同期して動作を行い、変調回路１１２からの制御信号を外部アンテナ６または内部アンテナ９に出力するアンテナ切替部１１１ｂとで構成されている。
【００４８】
アンテナ切替部１１１ａおよびアンテナ切替部１１１ｂとしては、特に限定されないが、例えば高周波リレーや同軸アンテナ切替部等の機械式アンテナ切替部や、半導体アナログアンテナ切替部や、半導体マルチプレクサ等が挙げられる。
【００４９】
図８は、光ディスク記録再生装置の通信動作を示すフローチャートである。
まず、ＣＰＵ１２１が、外部サーチ動作を行う（ステップＳ１１）。
そして、ＣＰＵ１２１が、非接触ＩＣカード２００と通信可能か否かを判断する（ステップＳ１２）。
【００５０】
そして、外部アンテナ６にサーチ応答があった場合（ステップＳ１２のＹｅｓ）、外部アンテナ６を用いて通信処理を行い（ステップＳ１３）ステップＳ１４に移行する。また、外部アンテナ６にサーチ応答がない場合（ステップＳ１２のＮｏ）、そのままステップＳ１４に移行する。
【００５１】
次に、ＣＰＵ１２１が、内部サーチ動作を行う（ステップＳ１４）。
そして、ＣＰＵ１２１が、光ディスク１００と通信可能か否かを判断する（ステップＳ１５）。
【００５２】
そして、光ディスク１００からサーチ応答があった場合（ステップＳ１５のＹｅｓ）、内部アンテナ９を用いて通信処理を行い（ステップＳ１６）、ステップＳ１７に移行する。また、通信可能ではない場合（ステップＳ１５のＮｏ）、そのままステップＳ１７に移行する。
【００５３】
次に、ＣＰＵ１２１が、通信動作を終了するか否かを判断する（ステップＳ１７）。通信動作を終了する場合（ステップＳ１７のＹｅｓ）、通信動作を終了する。一方、通信動作を終了しない場合（ステップＳ１７のＮｏ）、ステップＳ１１に移行して引き続き通信動作を継続する。
【００５４】
次に、図８のステップＳ１１の外部サーチ動作およびステップＳ１４の内部サーチ動作について説明する。
図９はサーチ動作を示すフローチャートである。
【００５５】
サーチ動作では、まずＣＰＵ１２１が、アンテナ切替部１１１ａおよびアンテナ切替部１１１ｂを、それぞれ外部サーチ動作であれば外部アンテナ６側に切り替え、内部サーチ動作であれば内部アンテナ９側に切り替える（ステップＳ２１）。そして、変調回路１１２の出力を変更する（ステップＳ２２）。その後、ＣＰＵ１２１が、通信開始のリクエスト信号を送受信する（ステップＳ２３）。その後、元のルーチンに復帰する。
【００５６】
図１０は、アンテナ切替部を切り替えるタイミングの一例を示すタイムチャートを示す図である。
なお、図１０では内部アンテナ９および外部アンテナ６からそれぞれ交流磁界が発生している時間を斜線部で示している。
【００５７】
また、各アンテナから出力する交流磁界の強さをアンテナ出力として表示している。
前述したように、ＣＰＵ１２１は、内部アンテナ９に供給する信号の大きさと、外部アンテナ６に供給する信号の大きさとを変化させて外部アンテナ６から発生させる交流磁界を内部アンテナ９から発生させる交流磁界よりも大きく設定する。
【００５８】
図１０に示すように、ＣＰＵ１２１は、外部サーチ（時間０〜Ｔ１、時間Ｔ２〜）と内部サーチ（時間Ｔ１〜Ｔ２）とを繰り返している。そして、外部サーチ中の時間Ｔ３で外部アンテナ６にサーチ応答があったため、外部アンテナ６を用いて通信処理を行っている。そして時間Ｔ４で通信処理が終了すると、内部サーチ（時間Ｔ４〜Ｔ５、時間Ｔ６〜）と外部サーチ（時間Ｔ５〜Ｔ６）を繰り返している。そして、内部サーチ中の時間Ｔ７で内部アンテナ９からサーチ応答があったため、内部アンテナ９を用いて通信処理を行っている。そして時間Ｔ８で通信処理が終了すると、通信動作を終了している。
【００５９】
次に、光ディスク記録再生装置１の通信動作について具体例を用いて説明する。
図１１は、光ディスクのＩＣチップに格納されたデータを模式的に示す図である。
ＩＣチップ１０１には、データが階層化されて格納されている。
【００６０】
図１１に示すように、ＩＣチップ１０１の「Ｒｏｏｔ」フォルダ内には、「ＤｉｓｃＡｄｍｉｎ」フォルダが設定されている。また、「ＤｉｓｃＡｄｍｉｎ」フォルダ内には、ＩＣチップ１０１自身に関する固有のＩＤを示す「ＣｈｉｐＵｎｉｑＩＤ」と、ＩＣチップ１０１の記録層１００ｂに関する固有のＩＤを示す「ＤｉｓｃＵｎｉｑＩＤ＿ｃｈ」と、ＩＣチップ１０１の非接触ＩＣカード２００に関する固有のＩＤを示す「ＣａｒｄＵｎｉｑＩＤ＿ｃｈ」とが格納されている。
【００６１】
図１２は、光ディスクの記録層に格納されたデータを模式的に示す図である。
記録層１００ｂには、「Ｒｏｏｔ」フォルダおよび「ＳｕｂＲｏｏｔ」フォルダが設けられ各フォルダ内にデータが階層化されて格納されている。
【００６２】
記録層１００ｂの「Ｒｏｏｔ」には、ピット信号による主たるデータが格納されており、「ＳｕｂＲｏｏｔ」には、ＢＣＡ信号や透かし信号等による副次データが格納されている。
【００６３】
図１２に示すように、記録層１００ｂの「Ｒｏｏｔ」フォルダ内には、「ＤｉｓｃＡｄｍｉｎ」フォルダおよび「ＣｒｙｐｔＤａｔａ」フォルダが設定されている。また、「ＤｉｓｃＡｄｍｉｎ」フォルダ内には、記録層１００ｂのＩＣチップ１０１に関する固有のＩＤを示す「ＣｈｉｐＵｎｉｑＩＤ＿ｄｉ」と、記録層１００ｂ自身の固有のＩＤを示す「ＤｉｓｃＵｎｉｑＩＤ＿ｄｉ」と、記録層１００ｂの非接触ＩＣカード２００に関する固有のＩＤを示す「ＣａｒｄＵｎｉｑＩＤ＿ｄｉ」とが格納されている。
【００６４】
また、「ＣｒｙｐｔＤａｔａ」フォルダ内には、光ディスク１００の主データとして記録されている一連の再生データを示す「Ｆｉｌｅ００１」と「Ｆｉｌｅ００２」と「Ｆｉｌｅ００３」とが格納されている。これら「Ｆｉｌｅ００１」と「Ｆｉｌｅ００２」と「Ｆｉｌｅ００３」とは、予め図示しない暗号鍵（ＥｎｃｒｙｐｔｉｏｎＫｅｙ）によって暗号化されている。
【００６５】
なお、「Ｆｉｌｅ００１」、「Ｆｉｌｅ００２」および「Ｆｉｌｅ００３」としては特に限定されないが、例えばファイルがＵＤＦ（Universal Disk Format、日本規格協会TR X 0035:2000）で規定されたファイルシステム上のファイルや、ＩＳＯ  ９６６０および、またはその拡張仕様であるＪｏｌｉｅｔ拡張フォーマット、または、ＢＤ−ＦＳ等が挙げられる。
【００６６】
一方、「ＳｕｂＲｏｏｔ」フォルダ内には、書き換えることができないデータである「ＤｉｓｃＵｎｉｑＩＤ」および「ＣｈｉｐＵｎｉｑＩＤ＿ｄｓ」が格納されている。ここで、「ＤｉｓｃＵｎｉｑＩＤ」は、改ざんされにくい記録方法にて記録されることが望ましい。これにより著作権保護の安全性をさらに高めることができる。
【００６７】
図１３は、非接触ＩＣカードのＩＣチップに格納されたデータを模式的に示す図である。
ＩＣチップ２０１には、データが階層化されて格納されている。
【００６８】
図１３に示すように、「Ｒｏｏｔ」フォルダ内には、「ＤｉｓｃＡｄｍｉｎ」フォルダが設定されている。また、「ＤｉｓｃＡｄｍｉｎ」フォルダ内には、ＩＣチップ２０１のＩＣチップ１０１に関する固有のＩＤを示す「ＣｈｉｐＵｎｉｑＩＤ＿ｃａ」と、ＩＣチップ２０１の記録層１００ｂに関する固有のＩＤを示す「ＤｉｓｃＵｎｉｑＩＤ＿ｃａ」と、ＩＣチップ２０１自身の固有のＩＤを示す「ＣａｒｄＵｎｉｑＩＤ」と、暗号鍵「ＥｎｃｒｙｐｔｉｏｎＫｅｙ」によって暗号化されているファイルを復号する復号鍵である「ＤｅｃｒｙｐｔｉｏｎＫｅｙ」とが格納されている。
【００６９】
光ディスク１００を光ディスク記録再生装置１に挿入して記録または再生を開始した場合、リーダ／ライタ制御部１０が、内部アンテナ９によって通信可能であることを認識する。この通信可能であるかどうかの認識動作については、ポーリング方式での通信を用いて行うことができる。具体的には、ＩＳＯ１４４４３−３（ＪＩＳ  Ｘ６３２２−３）において規定されたコマンドおよびプロトコルを用いて、ＣＰＵ１２１（ＰＣＤ）が、光ディスクの中のＩＣチップ１０１（ＰＩＣＣ）との通信を開始することができた状態、すなわちリーダ／ライタ制御部１０がＳＡＫ（Select acknowledge）信号を受信して、ＵＩＤ完全である状態を確認する。
【００７０】
次に、ＩＣチップ１０１とリーダ／ライタ制御部１０との通信処理について詳述する。
まず、ＣＰＵ１２１が、ＩＣチップ１０１から「ＣｈｉｐＵｎｉｑＩＤ」を読み取り記憶部１２２に格納する。また、その読み取りとともに、必要に応じて「ＤｉｓｃＵｎｉｑＩＤ＿ｃｈ」および「ＣａｒｄＵｎｉｑＩＤ＿ｃｈ」のうちの一方または両方を読み取り記憶部１２２に格納する。
【００７１】
そしてＣＰＵ１２１が、挿入されたＩＣチップ１０１の中からデータを読み取る動作とともに、記録層１００ｂからデータを読み取る。この動作においては、まず、「ＳｕｂＲｏｏｔ」フォルダ内の「ＤｉｓｃＵｎｉｑＩＤ」を読み取り記憶部１２２に格納する。
【００７２】
また必要に応じて、「ＳｕｂＲｏｏｔ」フォルダ内の「ＣｈｉｐＵｎｉｑＩＤ＿ｄｓ」を読み取る。さらに必要に応じて、記録層１００ｂから「ＤｉｓｃＵｎｉｑＩＤ＿ｄｉ」、「ＣｈｉｐＵｎｉｑＩＤ＿ｄｉ」、「ＣａｒｄＵｎｉｑＩＤ＿ｄｉ」）を読み取り記憶部１２２に格納する。
【００７３】
ここで、ＣＰＵ１２１が、記録層１００ｂに記録された「ＤｉｓｃＵｎｉｑＩＤ」と、記録層１００ｂに記録された「ＤｉｓｃＵｎｉｑＩＤ＿ｄｉ」と、ＩＣチップ１０１に記録された「ＤｉｓｃＵｎｉｑＩＤ＿ｃｈ」とを比較する。これらが一致した場合、光ディスク１００が偽造されたものではなく、真正なものであることを確認することができる。
【００７４】
その上さらに、ＣＰＵ１２１が、ＩＣチップ１０１に記録された「ＣｈｉｐＵｎｉｑＩＤ」と、記録層１００ｂに記録された「ＣｈｉｐＵｎｉｑＩＤ＿ｄｉ」と、記録層１００ｂに記録された「ＣｈｉｐＵｎｉｑＩＤ＿ｄｓ」とを比較する。これらが一致した場合、光ディスク１００が偽造されたものではなく、真正なものであることを確認することができる。
【００７５】
以上の手順により、光ディスク記録再生装置１に挿入された光ディスク１００が真正なものであることが確認できるが、「Ｆｉｌｅ００１」および「Ｆｉｌｅ００２」が暗号化されているため、そのままでは再生できないことが検出される。
【００７６】
そこで、ＣＰＵ１２１が、例えば光ディスク記録再生装置１の図示しないモニタ等に「復号鍵の記録された非接触ＩＣカードをカード表示部にかざして下さい」等を表示してユーザに報知し、非接触ＩＣカード２００（復号鍵）を光ディスク記録再生装置１に受信させるよう促す。
【００７７】
そしてユーザが、カード表示部２１に非接触ＩＣカード２００をかざす操作を行い、非接触ＩＣカード２００が外部アンテナ６近傍に達すると、光ディスク記録再生装置１は、外部アンテナ６を用いて以下の通信動作によって復号鍵を受信する。
【００７８】
まず、非接触ＩＣカード２００を、カード表示部２１にかざした場合、ＣＰＵ１２１が、外部アンテナ６を介して非接触ＩＣカード２００と通信可能であることを認識する。この通信可能であるかどうかの認識動作については、前述したポーリング通信を用いて行うことができる。
【００７９】
次に、ＩＣチップ２０１（ＰＩＣＣ）とＣＰＵ１２１（ＰＣＤ）は、以下の通信処理を行う。
まず、ＣＰＵ１２１が、非接触ＩＣカード２００のＩＣチップ２０１に格納されている「ＤｅｃｒｙｐｔｉｏｎＫｅｙ」を読み取り記憶部１２２に格納する。また、その読み取りとともに、必要に応じて「ＣａｒｄＵｎｉｑＩＤ」、「ＤｉｓｃＵｎｉｑＩＤ＿ｃａ」「ＣｈｉｐＵｎｉｑＩＤ＿ｃａ」を読み取り記憶部１２２に格納する。
【００８０】
なお、固有ＩＤ等のデータを読み取るための通信プロトコルの例としては、具体的には、ＩＳＯ１４４４３−３（ＪＩＳ  Ｘ６３２２−３）において規定されたフレーム形式およびコマンドおよびプロトコル、および、ＩＳＯ１４４４３−４（ＪＩＳ  Ｘ６３２２−４）において規定されたコマンドおよびプロトコルを用いて、活性化手順を行った後、半二重ブロック転送プロトコルによるデータの通信を用いることができる。
【００８１】
これらの結果、復号鍵「ＤｅｃｒｙｐｔｉｏｎＫｅｙ」を用いて、記録層１００ｂの「Ｆｉｌｅ００１」および「Ｆｉｌｅ００２」を復号化することができ、再生できるようになる。
【００８２】
このとき、復号鍵「ＤｅｃｒｙｐｔｉｏｎＫｅｙ」が真正なものであることを確認するために、ＣＰＵ１２１が記憶部１２２に格納しておいた「ＣａｒｄＵｎｉｑＩＤ」と、「ＣａｒｄＵｎｉｑＩＤ＿ｄｉ」と、「ＣａｒｄＵｎｉｑＩＤ＿ｃｈ」とを比較する。これらが一致することで、非接触ＩＣカード２００が偽造されたものではなく、真正なものであることを確認することができる。その上さらに、記録層１００ｂに記録された「ＤｉｓｃＵｎｉｑＩＤ＿ｄｉ」と、「ＤｉｓｃＵｎｉｑＩＤ＿ｃａ」とを比較することによって、または、「ＣｈｉｐＵｎｉｑＩＤ」と、「ＣｈｉｐＵｎｉｑＩＤ＿ｃａ」とを比較することによって、それらが一致することで、その非接触ＩＣカードが偽造されたものではなく、真正なものであることを確認することができる。
【００８３】
このように、記録層１００ｂに記録された第１の固有ＩＤとＩＣチップ１０１に記録された第２の固有ＩＤを照合することで、光ディスク１００が偽造されたものではなく、真正なものであることを確認した上で、ユーザに対して再生したデータを提示することができる。さらに、カード表示部２１に提示された非接触ＩＣカード２００から復号鍵を読み取り、再生したデータを非接触ＩＣカード２００から読み取った復号鍵により復号することで、ユーザに対して暗号化されていた再生データを、復号したデータとして提示することができる。
【００８４】
つまり、非接触ＩＣカード２００と光ディスク１００の組合せにより、光ディスク１００に記録されている情報の秘匿性を高めて、かつ、その光ディスクが偽造されたものではないことを認証することができる。
【００８５】
以上述べたように、光ディスク記録再生装置１によれば、１つのリーダ／ライタ制御部１０（ＣＰＵ１２１）を用いて光ディスク１００のＩＣチップ１０１と非接触ＩＣカード２００のＩＣチップ２０１のうちのどちらと通信を行っているかを容易かつ確実に判別（識別）することができる。これにより、光ディスク記録再生装置１の簡素化および低コスト化を図ることができる。
【００８６】
特に、制御手段がＩＣチップ１０１との通信と、ＩＣチップ２０１との通信とを関連づけて行う場合には、ＩＣチップ１０１が備える固有のＩＤとＩＣチップ２０１が備える固有のＩＤとを容易に照合することができる。これにより、例えば光ディスク１００を再生または記録中に、記録層１００ｂに記録された固有のＩＤを読み取りながらＩＣチップ１０１およびＩＣチップ２０１に記録された著作権保護情報を読み取り、これらを互いに比較することにより、著作権保護の安全性を高めることができる。
【００８７】
また、内部アンテナ９と外部アンテナ６とはケーシング３を介して互いに異なる側に設置されているため、電波が混信する恐れがない。
なお、光ディスク記録再生装置１と光ディスク１００との間の通信および、光ディスク記録再生装置１と非接触ＩＣカード２００との通信規格は特に限定されないが、例えば、ＩＳＯ１４４４３（ＴｙｐｅＡ）であって、例えばＭｉｆａｒｅ（登録商標）方式等が挙げられる。
【００８８】
次に、光ディスク記録再生装置の第２の実施の形態について説明する。
以下、第２の実施の形態の光ディスク記録再生装置について、前述した第１の実施の形態との相違点を中心に説明し、同様の事項については、その説明を省略する。
【００８９】
第２の実施の形態の光ディスク記録再生装置は、アンテナ切替回路の構成が異なり、それ以外は第１の実施の形態と同様である。
図１４は、第２の実施の形態のアンテナ切替回路を示す回路図である。
【００９０】
第２の実施の形態のアンテナ切替回路１１４は、ＣＰＵ１２１により制御されるアンテナ切替部１１４ａを有している。
アンテナ切替部１１４ａには、内部アンテナ９および外部アンテナ６の一方の端子がそれぞれ接続され、内部アンテナ９および外部アンテナ６の他方の端子がそれぞれグランド（ＧＮＤ）に接続されている。
【００９１】
ＣＰＵ１２１が、アンテナ切替部１１４ａの状態を切り替えることにより、変調回路１１２に接続される外部アンテナ６と内部アンテナ９とが切り替わる。
この第２の実施の形態の光ディスク記録再生装置によれば、第１の実施の形態の光ディスク記録再生装置１と同様の効果が得られる。
【００９２】
次に、光ディスク記録再生装置の第３の実施の形態について説明する。
以下、第３の実施の形態の光ディスク記録再生装置について、前述した第１の実施の形態との相違点を中心に説明し、同様の事項については、その説明を省略する。
【００９３】
第３の実施の形態の光ディスク記録再生装置は、アンテナ切替回路の構成およびサーチ動作が異なり、それ以外は第１の実施の形態と同様である。
図１５は、第３の実施の形態のアンテナ切替回路を示す回路図である。
【００９４】
第３の実施の形態のアンテナ切替回路１１５は、ＣＰＵ１２１により制御されるアンテナ切替部１１５ａ〜１１５ｆと、インピーダンス整合をとるためのマッチング回路１１５ｇ、１１５ｈとを有している。
【００９５】
アンテナ切替部１１５ａは、変調回路１１２に接続された端子８０と、マッチング回路１１５ｇを介してアンテナ切替部１１５ｄに接続され、マッチング回路１１５ｈを介してアンテナ切替部１１５ｆに接続された端子８１と、マッチング回路１１５ｇを介さずにアンテナ切替部１１５ｄに接続された端子８２と、アンテナ切替部１１５ｆに接続された端子８３とを有している。
【００９６】
アンテナ切替部１１５ｂは、復調回路１１３に接続された端子８４と、マッチング回路１１５ｇを介してアンテナ切替部１１５ｃに接続され、マッチング回路１１５ｈを介してアンテナ切替部１１５ｅに接続された端子８５と、マッチング回路１１５ｇを介さずにアンテナ切替部１１５ｃに接続された端子８６と、アンテナ切替部１１５ｅに接続された端子８７とを有している。
【００９７】
アンテナ切替部１１５ｃは、外部アンテナ６に接続された端子８８と、マッチング回路１１５ｇを介してアンテナ切替部１１５ｂに接続された端子８９と、マッチング回路１１５ｇを介さずにアンテナ切替部１１５ｂに接続された端子９０とを有している。
【００９８】
アンテナ切替部１１５ｄは、外部アンテナ６に接続された端子９１と、マッチング回路１１５ｇを介してアンテナ切替部１１５ａに接続された端子９２と、マッチング回路１１５ｇを介さずにアンテナ切替部１１５ａに接続された端子９３とを有している。
【００９９】
アンテナ切替部１１５ｅは、内部アンテナ９に接続された端子９４と、マッチング回路１１５ｈを介してアンテナ切替部１１５ｂに接続された端子９５と、マッチング回路１１５ｈを介さずにアンテナ切替部１１５ｂに接続された端子９６とを有している。
【０１００】
アンテナ切替部１１５ｆは、内部アンテナ９に接続された端子９７と、マッチング回路１１５ｈを介してアンテナ切替部１１５ａに接続された端子９８と、マッチング回路１１５ｈを介さずにアンテナ切替部１１５ａに接続された端子９９とを有している。
【０１０１】
第３の実施の形態のディスク記録再生装置は、サーチ時に変調回路１１２の出力を、マッチング回路１１５ｇおよびマッチング回路１１５ｈを介して外部アンテナ６および内部アンテナ９にそれぞれ出力する同時サーチ動作モードと、マッチング回路１１５ｇおよびマッチング回路１１５ｈを介さずに外部アンテナ６に出力する外部サーチ動作モードと、マッチング回路１１５ｇおよびマッチング回路１１５ｈを介さずに内部アンテナ９に出力する内部サーチ動作モードとを有している。
【０１０２】
同時サーチ動作モードの場合、ＣＰＵ１２１が同時サーチ動作を行う。具体的にはアンテナ切替部１１５ａの端子８０と端子８１とを接続し、アンテナ切替部１１５ｂの端子８４と端子８５とを接続する。また、アンテナ切替部１１５ｃの端子８８と端子８９とを接続し、アンテナ切替部１１５ｄの端子９１と端子９２とを接続し、アンテナ切替部１１５ｅの端子９４と端子９５とを接続し、アンテナ切替部１１５ｆの端子９７と端子９８とを接続する。これにより、変調回路１１２の出力は、アンテナ切替部１１５ａ、マッチング回路１１５ｇおよびアンテナ切替部１１５ｄを介して外部アンテナ６に供給されるとともに、マッチング回路１１５ｈおよびアンテナ切替部１１５ｆを介して内部アンテナ９に供給される。なお、同時サーチ動作モードでは、外部アンテナ６および内部アンテナ９から出力されるそれぞれのアンテナ出力の大きさは、第１の実施の形態の外部アンテナ６のアンテナ出力の大きさに等しい。
【０１０３】
そして、内部アンテナ９からの応答信号があると、その信号をアンテナ切替部１１５ｅ、マッチング回路１１５ｈ、およびアンテナ切替部１１５ｂを介して復調回路１１３に取り込む。
【０１０４】
また、外部アンテナ６からの応答信号があると、その信号をアンテナ切替部１１５ｃ、マッチング回路１１５ｇ、およびアンテナ切替部１１５ｂを介して復調回路１１３に取り込む。
【０１０５】
外部サーチ動作モードの場合、ＣＰＵ１２１が外部サーチ動作を行う。具体的にはアンテナ切替部１１５ａの端子８０と端子８２とを接続し、アンテナ切替部１１５ｂの端子８４と端子８６とを接続する。また、アンテナ切替部１１５ｃの端子８８と端子９０とを接続し、アンテナ切替部１１５ｄの端子９１と端子９３とを接続する。なお、アンテナ切替部１１５ｅおよびアンテナ切替部１１５ｆの端子の接続状態は特に限定されないが、接地されているのが好ましい。
【０１０６】
これにより、変調回路１１２の出力は、アンテナ切替部１１５ａおよびアンテナ切替部１１５ｄを介して外部アンテナ６に供給される。
そして、外部アンテナ６からの応答信号があると、その信号をアンテナ切替部１１５ｃおよびアンテナ切替部１１５ｂを介して復調回路１１３に取り込む。
【０１０７】
内部サーチ動作モードの場合、ＣＰＵ１２１が内部サーチ動作を行う。具体的にはアンテナ切替部１１５ａの端子８０と端子８３とを接続し、アンテナ切替部１１５ｂの端子８４と端子８７とを接続する。また、アンテナ切替部１１５ｅの端子９４と端子９５とを接続し、アンテナ切替部１１５ｆの端子９７と端子９８とを接続する。なお、アンテナ切替部１１５ｃおよびアンテナ切替部１１５ｄの端子の接続状態は特に限定されないが、接地されているのが好ましい。
【０１０８】
これにより、変調回路１１２の出力は、アンテナ切替部１１５ａ、アンテナ切替部１１５ｆを介して内部アンテナ９に供給される。
そして、内部アンテナ９からの応答信号があると、その信号をアンテナ切替部１１５ｅおよびアンテナ切替部１１５ｂを介して復調回路１１３に取り込む。
【０１０９】
次に、第３の実施の形態のサーチ動作について説明する。
図１６は、第３の実施の形態のサーチ動作を示すフローチャートである。
まず、ＣＰＵ１２１が、前述した同時サーチ動作を行う（ステップＳ３１）。
【０１１０】
そして、ＣＰＵ１２１が、非接触ＩＣカード２００および光ディスク１００のうちの一方、または両方と通信可能であるか否かを判断する（ステップＳ３２）。
通信可能であれば、ステップＳ３３以降を実施し、本実施の形態の外部サーチ動作および内部サーチ動作を行う。なお、ステップＳ３３〜ステップＳ３９については、それぞれ第１の実施の形態のステップＳ１１〜ステップＳ１７と同様であるためその説明を省略する。
【０１１１】
図１７は、アンテナ切替部を切り替えるタイミングの一例を示すタイムチャートを示す図である。
図１７では、まず、同時サーチ動作を行っている。そして、時間Ｔ１ａで内部アンテナ９または外部アンテナ６にサーチ応答があったため、まず内部サーチ動作を行っている（時間Ｔ１ａ〜時間Ｔ２ａ）。この際アンテナ出力も下げる。そして、内部アンテナ９からの応答がないため、アンテナ出力を上げて外部サーチ動作を行い（時間Ｔ２ａ〜時間Ｔ３ａ）、その後通信処理を行っている（時間Ｔ３ａ〜時間Ｔ４ａ）。そして時間Ｔ４ａで通信処理が終了すると、再び同時サーチ動作を行っている（時間Ｔ４ａ〜時間Ｔ５ａ）。そして、時間Ｔ５ａで内部アンテナ９または外部アンテナ６にサーチ応答があったため、アンテナ出力を下げて内部サーチ動作を行っている（時間Ｔ５ａ〜時間Ｔ６ａ）そして、時間Ｔ６ａで内部アンテナ９からの応答があったため、通信処理を行っている（時間Ｔ６ａ〜時間Ｔ７ａ）。そして時間Ｔ７ａで通信処理が終了すると、通信動作を終了している。
【０１１２】
この第３の実施の形態の光ディスク記録再生装置によれば、第１の実施の形態の光ディスク記録再生装置と同様の効果が得られる。
次に、光ディスク記録再生装置の第４の実施の形態について説明する。
【０１１３】
以下、第４の実施の形態の光ディスク記録再生装置について、前述した第１の実施の形態との相違点を中心に説明し、同様の事項については、その説明を省略する。
図１８は、第４の実施の形態の光ディスク記録再生装置を示す側面図および斜視図である。なお、図１８では外部アンテナを誇張して示している。
【０１１４】
第４の実施の形態の光ディスク記録再生装置１ａは、外部アンテナの配置が異なり、それ以外は第１の実施の形態と同様である。
図１８（ａ）に示すように、筐体２の前板部２ａにはディスクトレイ７１が通る細幅の開口２ｂが形成されており、ディスクトレイ７１には、光ディスク１００を出し入れする方向（図１８（ｂ）の左右方向）の先端側（図１８（ｂ）中左側）に設けられ、光ディスク１００が筐体２の内部に挿入された状態において開口２ｂを覆うように設けられた前面パネル７１ａが設けられている。
【０１１５】
本実施の形態の外部アンテナ６ａは、ループ状をなしており、そのループの中心軸３００が図１８（ｂ）中左右方向になるように、前面パネル７１ａ内部に配置されている。
本実施の形態では、外部アンテナ６ａのなす平面と内部アンテナ９のなす平面とが略直交して配置されている。これにより、内部アンテナ９と外部アンテナ６ａとに発生する磁界の向きが異なるため、磁界が互いに影響を受けにくく、光ディスク記録再生装置の誤動作を防止することができる。
【０１１６】
この第４の実施の形態の光ディスク記録再生装置１ａによれば、第１の実施の形態の光ディスク記録再生装置１と同様の効果が得られる。そして、例えば光ディスク記録再生装置がＰＣ（パーソナルコンピュータ）に内蔵される場合は、前面パネル７１ａのみが外部に露出することが多いため、外部アンテナ６ａを前面パネル７１ａ内部に配置することによりＩＣカード２００との通信をより容易に行うことができる。
【０１１７】
次に、光ディスク記録再生装置の第５の実施の形態について説明する。
以下、第５の実施の形態の光ディスク記録再生装置について、前述した第４の実施の形態との相違点を中心に説明し、同様の事項については、その説明を省略する。
【０１１８】
図１９は、第５の実施の形態の光ディスク記録再生装置を示す斜視図および正面図である。なお、図１９では外部アンテナを誇張して示している。
第５の実施の形態の光ディスク記録再生装置１ｂは、外部アンテナの配置が異なり、それ以外は第４の実施の形態と同様である。
【０１１９】
本実施の形態ではループ状の外部アンテナ６ｂが、そのループの中心軸３０１が図１９（ｂ）中左右方向になるように、筐体２の側部内壁に設けられている。
本実施の形態においても外部アンテナ６ｂのなす平面と内部アンテナ９のなす平面とが略直交して配置されている。これにより、内部アンテナ９と外部アンテナ６ｂとに発生する磁界の向きが異なるため、磁界が互いに影響を受けにくく、光ディスク記録再生装置１ｂの誤動作を防止することができる。
【０１２０】
この第５の実施の形態の光ディスク記録再生装置１ｂによれば、第４の実施の形態の光ディスク記録再生装置１ａと同様の効果が得られる。
以上、本発明の光ディスク記録再生装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【０１２１】
また、本発明は、前述した各実施の形態のうちの、任意の２以上の構成（特徴）を組み合わせたものであってもよい。
なお、前述した各実施の形態ではＩＣチップ２０１を備える部材の形状を、カード状の非接触ＩＣカード２００としたが、本発明ではこれに限定されない。
【０１２２】
また、前述した各実施の形態では外部アンテナ６および内部アンテナ９と、リーダ／ライタ制御部１０としては、通信周波数を１３．５６ＭＨｚとする１つの周波数に対応する外部アンテナ６および内部アンテナ９とリーダ／ライタ制御部１０について説明したが、本発明ではこれに限らず、２つ以上の複数の通信周波数で通信できるように内部アンテナと外部アンテナとを設け、それぞれの通信周波数に対応した２つ（複数）のリーダ／ライタ制御部群が、それぞれ独立に内部アンテナと外部アンテナとを選択できるように構成されていてもよい。
【０１２３】
また、前述した各実施の形態では光ディスクを記録・再生することができる光ディスク記録再生装置について説明したが、本発明は、再生機能だけを有する光ディスク再生装置にも適用することができる。
【０１２４】
また、前述した各実施の形態ではアンテナとして、通信周波数を１３．５６ＭＨｚとする電磁誘導方式を本発明実施例の図の説明に用いたが、これに限らず通信周波数が９００ＭＨｚ帯や２．４ＧＨｚ帯の通信方式（電磁電波方式）を用いてもよい。この場合、前述したコイル状アンテナの代わりにダイポール状アンテナ等を用いてもよい。また、ダイポール状アンテナを用いた場合、その形状は直線的なダイポールアンテナや、折り曲げた形状や、曲線状に配置した形状であってもよい。
【０１２５】
また、通信周波数が９００ＭＨｚ帯や２．４ＧＨｚ帯の通信方式（電磁電波方式）を用いた場合、ケーシングに適用する構成材料は、その電波を遮断（シールド）する効果を有していればよく、例えば、通信周波数が２．４ＧＨｚ帯の場合のケーシングの構成材料としては、材料の透磁性よりも導電性、または、電波の吸収性が電波の遮断に重要な役割を持つため、例えば銅、鉄、アルミニウム、銀、金等の各種導体が挙げられる。またケーシングの外部アンテナおよび内部アンテナに対応する部位の形状も、それぞれ板状（または、それを折り曲げたり、箱状にしたりするもの）だけではなく、網目構造をなしているものでもよい。
【０１２６】
また、通信周波数が９００ＭＨｚ帯や２．４ＧＨｚ帯の通信方式（電磁電波方式）を用いた場合、高透磁率部材に適用する構成材料は前述したものとは異なり、特に通信周波数がＵＨＦ以上の高い周波数においては、絶縁物であって誘電体損失の少ないものを用いるのが好ましい。そのような通信周波数がＵＨＦ以上の高い周波数での高透磁率部材の例としては、例えばポリエチレンやテフロン（登録商標）やエポキシ、または、発泡ポリエチレンや発泡テフロン等の各種高分子材料等が挙げられる。
【図面の簡単な説明】
【０１２７】
【図１】光ディスク記録再生装置を示す断面図である。
【図２】非接触ＩＣカードを示す斜視図である。
【図３】光ディスクドライブ装置およびアンテナコイルの位置関係を示す平面図である。
【図４】光ディスク挿入時の光ディスク記録再生装置の要部の構成を示す図である。
【図５】光ディスク記録再生装置を示す側部断面図および光ディスク記録再生装置の処理ブロックを示す図である。
【図６】リーダ／ライタ制御部の構成を示すブロック図である。
【図７】アンテナ切替回路を示す回路図である。
【図８】光ディスク記録再生装置の通信動作を示すフローチャートである。
【図９】サーチ動作を示すフローチャートである。
【図１０】アンテナ切替部を切り替えるタイミングの一例を示すタイムチャートを示す図である。
【図１１】光ディスクのＩＣチップに格納されたデータを模式的に示す図である。
【図１２】光ディスクの記録層に格納されたデータを模式的に示す図である。
【図１３】非接触ＩＣカードのＩＣチップに格納されたデータを模式的に示す図である。
【図１４】第２の実施の形態のアンテナ切替回路を示す回路図である。
【図１５】第３の実施の形態のアンテナ切替回路を示す回路図である。
【図１６】第３の実施の形態のサーチ動作を示すフローチャートである。
【図１７】アンテナ切替部を切り替えるタイミングの一例を示すタイムチャートを示す図である。
【図１８】第４の実施の形態の光ディスク記録再生装置を示す側面図および斜視図である。
【図１９】第５の実施の形態の光ディスク記録再生装置を示す斜視図および正面図である。
【符号の説明】
【０１２８】
１、１ａ……光ディスク記録再生装置、２……筐体、３……ケーシング、４、５……高透磁率部材、６、６ａ……外部アンテナ、７……光ディスクドライブ装置、８……ドライブ回路、９……内部アンテナ、１０……リーダ／ライタ制御部、１１……無線通信回路部、１２……通信制御部、１００……光ディスク、１０１、２０１……ＩＣチップ、２００……非接触ＩＣカード、１１１、１１４、１１５……アンテナ切替回路
【図１】
0004696917.tif 000002
【図２】
0004696917.tif 000003
【図３】
0004696917.tif 000004
【図４】
0004696917.tif 000005
【図５】
0004696917.tif 000006
【図６】
0004696917.tif 000007
【図７】
0004696917.tif 000008
【図８】
0004696917.tif 000009
【図９】
0004696917.tif 000010
【図１０】
0004696917.tif 000011
【図１１】
0004696917.tif 000012
【図１２】
0004696917.tif 000013
【図１３】
0004696917.tif 000014
【図１４】
0004696917.tif 000015
【図１５】
0004696917.tif 000016
【図１６】
0004696917.tif 000017
【図１７】
0004696917.tif 000018
【図１８】
0004696917.tif 000019
【図１９】
0004696917.tif 000020